(57)【要約】【課題】メンテナンス性を維持しながら、昇降具をリテーナに対し簡単かつ強固に取付可能にする。【解決手段】水槽底面に固定されて栓１２で開閉される排水口部材１１と、前記排水口部材に内設される略筒形リテーナ２０と、該リテーナ内に固定されて遠隔操作用ワイヤ８の対応端側を筒内に挿通して前記栓１２側に作動連結可能にする昇降具３０とを備えた排水栓装置１０において、リテーナ２０は、内側に形成された昇降具用位置決め部２３及び昇降具３０の外周を径方向より位置決め部内まで遊挿可能な開口部２４を有した本体２１と、本体２１にヒンジ２４ｂ，２７ｂを介して揺動可能に連結されて昇降具３０の開口部径方向からの抜けを阻止する抜止部材２６とからなる。【選択図】    図３
2004300841.tif 000002
【特許請求の範囲】
【請求項１】
水槽底面に固定されて栓で開閉される排水口部材と、前記排水口部材に内設される略筒形リテーナと、前記リテーナに固定されて遠隔操作用ワイヤの対応端側を筒内に挿通して前記栓側に作動連結可能にする昇降具とを備えた排水栓装置において、
前記リテーナは、内側に形成された昇降具用位置決め部及び前記昇降具の外周を径方向より前記位置決め部内まで遊挿可能な開口部を有した本体と、前記本体にヒンジを介して揺動可能に連結されて前記昇降具の前記開口部径方向からの抜けを阻止する抜止部材とからなることを特徴とする排水栓装置。
【請求項２】
水槽底面に固定されて栓で開閉される排水口部材と、前記排水口部材に内設される略筒形リテーナと、前記リテーナに固定されて遠隔操作用ワイヤの対応端側を筒内に挿通して前記栓側に作動連結可能にする昇降具とを備えた排水栓装置において、
前記リテーナは、内側に昇降具用位置決め部をそれぞれ形成し、かつ、互いにヒンジを介して開閉可能に連結された対のリテーナ半体からなることを特徴とする排水栓装置。
【請求項３】
前記リテーナの位置決め部と前記昇降具外周とが互いに係脱可能な突状部及び溝部の一方をそれぞれ有し、前記リテーナが前記突状部及び溝部の係合を介し前記昇降具を固定している請求項１又は２に記載の排水栓装置。
【請求項４】
前記本体と抜止部材、又は、前記リテーナ半体同士は前記排水口部材に対し挿入されたとき筒形に保持され、離脱されたとき前記ヒンジを介して互いの間が拡開可能になる請求項１又は２に記載の排水栓装置。
【請求項５】
前記リテーナは、前記位置決め部を形成している内筒部と、前記排水口部材に設けられた被係合部と係脱する弾性係止片とを有し、前記昇降具を前記内筒部に固定し、かつ、前記排水口部材に対し上から下方向への押圧により前記弾性係止片及び前記被係合部の係合を介し固定される請求項１から４の何れかに記載の排水栓装置。
【発明の詳細な説明】
【０００１】
【発明の属する技術分野】
本発明は、洗面器や浴槽等の水槽底面に設けられる排水栓装置のうち、特に栓がレリーズワイヤ（以下、ワイヤと略称する）を介し開閉される遠隔操作式の排水栓装置に関するものである。
【０００２】
【従来の技術】
図９は下記文献１に開示の排水栓装置を示し、同（ａ）は全体の断面図、同（ｂ）は排水口部材の平面図、同（ｃ）は主要部の構成図である。同図の排水栓装置は、水槽８０の底面に設けられた排水口に装着される排水口部材８１と、水槽８０の下側より排水口部材８１に連結されるプラグケース８３と、排水口部材８１に組み込まれた昇降具（リフト機構とも称されている）８２と、ワイヤ８７の対応端側に昇降具８２を介し連結される栓８４等で構成されている。ここで、排水口部材８１は、全体が略筒状体であり、筒中央に架橋部８１ａを介して保持されている筒部８５を有し、該筒部８５内に昇降具８２を位置決め配置している。昇降具８２は、筒部８５に固定される筒部材８６を有し、該筒部材８６に対し不図示の操作釦により可動されるワイヤ８７の対応端側を挿通可能にする。この場合、ワイヤ８７は、チューブ８８で被覆され、該チューブ８８内を摺動可能となっている。チューブ８８の対応端側が筒部材８６内に固定され、ワイヤ８７の端末側が昇降具８２を介し栓８４と連結している。筒部材８６は、下側に設けられて筒部８５の下端面と係合可能な弾性係止片８９と、上側に設けられてＥリングやヘアピン等の止め具Ｓを止める係合溝８６ａとを形成している。
【０００３】
以上の構造において、組込手順的には、まず、水槽８０に対し排水口部材８１がプラグケース８３と螺合結合により取り付けられる。この取付状態から、例えば、ワイヤ８７の対応端と結合した昇降具８２を、排水口部材８１の筒部８５を弾性係止片８９の変形を伴って水槽８０上へ一旦押し出し、該押出状態で、栓８４をワイヤ８７の端側あるいは昇降具８２の対応部に結合し、又、筒部材８６の係合溝８６ａに止め具Ｓをスナップ止めする。その後、昇降具８２は、筒部材８６を筒部８５に押し込むことにより、止め具Ｓが筒部８５の上面に当接し、かつ、弾性係止片８９が筒部８５の下端面に係合される。これによって、昇降具８２は、下方向への移動が止め具Ｓで規制され、上方向への移動が弾性係止片８９で規制されるため、ワイヤ８７の上下方向の動きを許容して排水口部材８１に対し位置固定される。
【０００４】
これに対し、図１０は下記特許文献２に開示の排水栓装置を示している。同図の排水栓装置は、図９と比較して、符号９０が水槽８０に、符号９１が排水口部材８１に、符号９２が昇降具８２に、符号９３がプラグケース８３に、符号９４が栓８４に、符号９７及び９６がワイヤ８７とチューブ８８に対応している。この構造において、排水口部材９１は、内周に段部を形成し、又、昇降具９２をリテーナ（受け部材）９８を介して組み込む。即ち、リテーナ９８は、外筒部９９と、外筒部９９に架橋部を介し保持された不図示の内筒部とを有している。外筒部９９は、上縁のフランジ部９９ａを利用して設けられた不図示の弾性係止部と、中間周囲に設けられた抜止部９９ｂとを有している。そして、フランジ部９９ａが前記段部に当たるまで排水口部材９１に対し上から挿入された後、所定角回動されることにより、フランジ部９９ａの弾性係止部が前記段部に設けられた係合部に係合し、又、抜止部９９ｂが段部の下端面側に係合される。
【０００５】
【特許文献１】
特開平１０−１２１５３７号公報（第３〜４頁、図１〜図９）
【特許文献２】
特開平１０−１７９４３５号公報（第２〜５頁、図１〜図６）
【０００６】
【発明が解決しようとする課題】
上記従来の排水栓装置では次のような問題があり未だ満足できない。即ち、図９の構造では、排水口部材８１に対する昇降具８２の上方向への固定力が弾性係止片８９の爪と筒部８５の下端面との係合により行われている関係で強くし難く、例えば、栓８４が持ち上げられた開栓状態において、栓８４を傾倒させようとする過大な外力を受けると、筒部材８６が筒部８５から外れ易くなる。これは、文献１に開示されている他の形態、つまり、筒部材８６が外周上下に抜け止め用鍔部を有していると共に、排水口部材８１側の筒部８５が横へ開口した切欠部を有し、筒部材８６の中間部を前記切欠部より筒部８５内へ圧入する構造であっても同様である。なお、図１０の構造では、上述した外力をリテーナ９８を介して排水口部材９１にて受ける関係で、リテーナ９８に対する昇降具９２の係合力が問題となる。しかし、文献２には昇降具９２がリテーナ９８に取り付けられて一体化してあると記載されているだけであり、溶着等で一体化すると組立性が悪くなるだけではなく、メンテナンス性が維持されなくなる。
【０００７】
本発明の目的は、以上のような課題を解消して、遠隔操作式に用いられる昇降具をリテーナに対し簡単かつ強固に取付可能にして、昇降具に加わる外力等に起因した昇降具の抜けを確実に阻止でき、また、メンテナンス性にも優れ、しかも長期間に亘って安定した固定力を維持できるようにする。他の目的は以下の内容説明の中で説明する。
【０００８】
【課題を解決するための手段】
上記目的を達成するため、請求項１の排水栓装置は、図面の例で特定すると、水槽底面に固定されて栓１２で開閉される排水口部材１１と、前記排水口部材に内設される略筒形リテーナ２０と、前記リテーナに固定されて遠隔操作用ワイヤ８の対応端側を筒内に挿通して前記栓１２側に作動連結可能にする昇降具３０とを備えた排水栓装置１０において、前記リテーナ２０は、内側に形成された昇降具用位置決め部２３及び前記昇降具３０の外周を径方向より前記位置決め部内まで遊挿可能な開口部２４を有した本体２１と、前記本体２１にヒンジ（２４ｂ，２７ｂ）を介して揺動可能に連結されて前記昇降具の前記開口部径方向からの抜けを阻止する抜止部材２６とからなることを特徴としている。
これに対し、請求項２の排水栓装置は、水槽底面に固定されて栓１２で開閉される排水口部材１１と、前記排水口部材に内設される略筒形リテーナ２０Ａと、前記リテーナに固定されて遠隔操作用ワイヤ８の対応端側を筒内に挿通して前記栓１２側に作動連結可能にする昇降具３０とを備えた排水栓装置１０において、前記リテーナ２０Ａは、内側に昇降具用位置決め部２３をそれぞれ形成し、かつ、互いにヒンジ２９ａを介して開閉可能に連結された対のリテーナ半体２９からなることを特徴としている。
【０００９】
（工夫点等）以上の各発明は、排水栓部材に対し昇降具がリテーナを介在して取り付けられる構造において、課題に挙げたような昇降具に対する固定力を増大でき、かつ、排水口部材に対する昇降具のリテーナを介した組込性をワンタッチ操作できるようにしたものである。構造特徴は、請求項１ではリテーナが開口部付きの本体とリテーナの一部を形成する抜止部材とからなり、昇降具外周を開口部から本体内に横又は径方向より挿入し抜止部材で抜け防止すること、請求項２ではリテーナが対のリテーナ半体からなり、昇降具外周をリテーナ半体同士の間に横又は径方向より挿入し半体同士を筒状にして抜けを防ぐことにある。これを補足説明する。まず、遠隔操作式の排水口装置では、排水口部材が水槽底面に対し槽下側のプラグケースと連結された状態で取り付けられるが、その際、プラグケース側より操作部側から延びるワイヤの対応端（ここには昇降具が装着されている）が排水口部材の下から上へ挿通される。そして、該ワイヤ対応端の昇降具は、その可動部に栓を連結し、又、排水口部材に対しリテーナを介して取り付けなければならない。この作業は、水槽が浴槽等のごとく大きいこと、ワイヤ対応端側の槽上方への引出量が制約されていること等の事情から作業性が悪いため昇降具の固定力を維持しながら改善したい。そこで、各発明では、槽上方へ引き出したワイヤ対応端（昇降具）に対しリテーナを横又は径方向からの差し込み方式で装着し、該装着状態からリテーナを昇降具と共に排水口部材の筒内へ押し込み操作により取付可能にしたものである。この構造では、請求項１の場合に抜止部材の存在により、請求項２の場合にリテーナ半体同士の挟持により昇降具の外周（全周）が拘束され、該拘束状態が排水口部材の筒内（内径）で確実に維持される。要は、排水口部材に対するリテーナの取付操作性を損なうことなく、リテーナに対する昇降具の装着操作性及び抜け止め力を従来より数段向上したものである。
【００１０】
以上の各発明は、請求項３〜５のように展開することがより好ましい。即ち、
・請求項３では、前記リテーナの位置決め部と前記昇降具外周とが互いに係脱可能な突状部及び溝部の一方をそれぞれ有し、前記リテーナが前記突状部及び溝部の係合を介し前記昇降具を固定している構成である。これは、各発明のリテーナが昇降具の外周囲を径方向より離脱不能にしたことに加え、昇降具の上下動を突状部及び溝部の係合により確実に規制できるようする。
・請求項４では、前記本体と抜止部材、又は、前記リテーナ半体同士は前記排水口部材に対し挿入されたとき筒形に保持され、離脱されたとき前記ヒンジを介して互いの間が拡開可能になる構成である。これは、上述したリテーナに対する昇降具の安定した抜け止め力（固定力）を確認的に特定し、又、昇降具やワイヤを交換等する際に昇降具をリテーナから容易に外すことができ、メンテナンス性にも優れていることを明瞭化したものである。
・これに対し、請求項５はリテーナの形状例及び排水口部材への取付構造を特定したものである。前者は請求項１及び２共にリテーナが筒内に位置決め部を形成している内筒部を有している点を、後者はリテーナが水槽の上から下向きへの押圧により簡単に取り付けられる点をそれぞれ明瞭化したものである。
【００１１】
【発明の実施の形態】
本発明の排水栓装置例について図面を参照して詳述する。図１は発明排水栓装置の使用状態であり、同（ａ）は栓閉状態で示す図、（ｂ）は栓開状態（一部模式化している）で示す図である。図２は排水栓装置の部材関係を示す概略的な構成図である。図３は排水栓装置の要部であり、同（ａ）はリテーナ及び昇降具の断面図、同（ｂ）は排水口部材を半分割した状態で示す構成図である。図４及び図６はリテーナ構成を示し、図４（ａ）はリテーナの上面図、同（ｂ）は本体及び抜止部材の上面図、図５（ａ）はリテーナの概略斜視図、同（ｂ）は抜止部材の概略図、図６（ａ）は図４（ｂ）のＡ−Ａ線断面図、図６（ｂ）は図４（ｂ）のＢ−Ｂ線断面図、図６（ｃ）はリテーナに昇降具を装着した断面図である。これに対し、図７はリテーナの他の構造例であり、同（ａ）はリテーナを成形状態で示す上面図、同（ｂ）は昇降具を装着する使用状態で示す上面図である。図８は排水栓装置の適用例を模式的に示す説明図である。以下の説明では、排水栓装置の適用例を概説した後、装置構造、要部構造及びその変形例を細部作動と共に説明し、その後、水槽側への組込手順例に言及する。
【００１２】
（適用例）図８において、符号１は浴槽等の水槽であり、符号２は水槽１の底面側を示し、符号３は該底面２に開設された排水口を示し、符号４は水槽の上面側を示している。そして、この構造では、排水口３に設けられる排水機構体５と、水槽上面４の操作し易い箇所に設けられて排水機構体５を遠隔操作する操作機構体６と、排水機構体５と操作機構体６との間を連結している連結管７と、連結管７内に配置されてチューブ９で被覆されたワイヤ８等を備えている。なお、ワイヤ８は、チューブ９内を摺動自在に挿通され、一端側が排水機構体６の栓１２に図３の昇降具３０を介し連結され、他端側が操作機構体６の操作釦１４にスラストロック機構等を介し連結されている。そして、作動的には、操作釦１４を押圧すると、該操作釦１４の下動に連動してワイヤ８がチューブ９内を摺動し、該摺動により栓１２もワイヤ８と一体に動き栓１２を開状態にてロックし、もう一回押圧されると、該ロックが解除されて操作釦１４が元の位置つまり上方へ動き、操作釦１４を再び押圧すると、該操作釦１４の下動に連動して栓１２を閉状態に切り換える。これらは従来と同様である。
【００１３】
（装置構造）この排水栓装置１０は、図１と図２において、前記排水口３に装着されてプラグケース１５に連結される排水口部材１１と、排水口部材１１に組み込まれるリテーナ２０と、リテーナ２０に拘束支持される昇降具３０等を備え、排水口部材１１の上開口に対し栓１２の開閉をワイヤ８及び昇降具３０を介して切り換える。
【００１４】
ここで、プラグケース１５は、上下に貫通している排水路用の管部１５Ａと、該管部１５Ａの下横向きに接続されている管部１５Ｂとからなる。管部１５Ａは、水槽１の排水口３に略対応した大きさで、内周に設けられた雌ねじ１５ｂと、上外周に設けられた突き当て用フランジ部１５ａとを有し、雌ねじ１５ｂが排水口部材１１との連結用であり、フランジ部１５ａが槽底面外側に対しシール材Ｓ２を介し安定当接可能にする。管部１５Ｂは、前記操作機構体６と対応する向きに突出され、連結管７の対応端と結合され、連結管７内よりワイヤ８を内挿しているチューブ９の対応端を管路１５Ａ及び排水口部材１１内より槽上方へ導出する。
【００１５】
排水口部材１１は、図３（ｂ）のごとく上下に貫通した筒状に形成され、上端部分に設けられた鍔状フランジ部１１ａと、外周面に設けられた雄ねじ１１ｂと、下端側の内周面に設けられてリテーナ２０を取り付ける被係合部１１ｃとを有している。被係合部１１ｃは、円鍔状に張り出した状態に形成されている。
【００１６】
（要部構造）以上の排水口部材１１には、昇降具３０がリテーナ２０を介して組み込まれる。このうち、昇降具（リフト機構）３０は、リテーナ２０を介して排水口部材１１の内側に位置決め固定されて、栓１２をワイヤ８の可動に連動して開閉可能にする。この例では、昇降具３０が図３（ａ）のごとく、中心側の筒部材３１と、該筒部材３１に上下摺動可能に組み付けられた可動筒３２と、下側より筒部材３１に嵌合されかつ可動筒３２と係合して一体に摺動されるストッパ３３等を備えている。細部は、図面上一部省略したが、次のような構成である。
【００１７】
まず、筒部材３１は、筒内が上側の大径孔３１ａと下側の小径孔（符号省略）になっており、上端縁が外側に張り出した規制部３４を形成し、外周が下周囲に設けられた溝部３５ａで区画された突状部３５を有している。溝部３５ａは下端側近くに周回した溝である。突状部３５はリテーナ用の係止部である。そして、前記小径孔には、ワイヤ８を挿通しているチューブ９の対応端が装着固定されている。なお、この固定構造は、圧着や溶着等であり、又、実際にはチューブ９を金型内にインサートし筒部材３１を成形することにより、物理的かつ溶着により固定している。また、ワイヤ８の対応端は、チュープ９より大径孔３１ａを通って更に上へ突出されている。この端末には取付具３７が装着されている。
【００１８】
可動筒３２は、筒内にあって上端面より下設された保持用小筒部３８と、筒外周囲にあって略中間部に設けられた上下の爪部３２ａ，３２ｂとを有している。小筒部３８は、半筒状に形成されて、ワイヤ８の取付具３７を装着する。爪部３２ａは、栓１２の連結脚１２ａを係止することにより栓１２を可動筒３２に装着する。爪部３２ｂはストッパ３３を装着可能にする。このストッパ３３は、可動筒３２の下開口を塞ぐことにより、取付時やメンテナンスのための取り外し時、又は、掃除等のために昇降具３０が引き出されるときに、可動筒３２と取付具３７との嵌合部の外れや、取付具３７とワイヤ８とのカシメ部の抜けを防ぐものである。形状は、概略キャップ状であり、端面に設けられた下孔と、周囲に設けられて前記爪部３２ｂと係合する横孔とを有している。そして、このストッパ３３は、図３（ａ）のごとく筒部材３１を下孔から串差し状に配置し、前記横孔と爪部３２との係合により可動筒３２に連結される。このため、ストッパ３３及び可動筒３２並びに取付具３７は、ワイヤ８の可動に伴って一体として摺動される。また、この摺動範囲は、図１より推察されるごとく、栓１２の開位置と閉位置に対応しており、ストッパ３３の端面がリテーナ２０の対応部（内筒部２３）と当たる最下位置から、ストッパ３３の端面（筒下端面）が前記筒部材３１の上側規制部３４と当たる最上位置まである。
【００１９】
（第１形態のリテーナ構造）リテーナ２０は樹脂製であり、図４〜図６のごとく、本体２１及び抜止部材２６から構成され、全体が略円盤状になり、該円盤状態で排水口部材１１の筒内へほぼ隙間なく挿入される。ここで、本体２１は、外周部２２及び内筒部２３と、外周部２２及び内筒部２３の一部を欠如した開口部２４と、外周部２２の一部に設けられた弾性係止片２５と、内筒部２３の内端面に設けられた溝部２３ａとを有している。外筒部２２及び内筒部２３は、複数（４本）のアーム２１ａで連結されており、アーム２１ａ同士の間の隙間が排水経路となっている。外筒部２２には、複数（２本）の弾性係止片２５が周囲を等分する箇所にスリット２２ａを介し区画成形されている。各弾性係止片２５は、下側が外筒部２２に連結され、外面に爪部２５ａを突出している。内筒部２３は、内径が上記筒部材３１の外径に対応している。溝部２３ａは、上記突状部３５と係合することにより、筒部材３１に対する固定力を増大可能にする。開口部２４は、外筒部２２及び内筒部２３の一部を抜止部材２６に対応して切り欠いたもので、筒部材３１が径方向から余裕を持って配置可能となっている。この開口部２４は溝部２３ａの対応部も含む。開口部２４の周りには、開口部２４の一方側に位置して、外筒部３１側の手前に形成された略コ形の空間部２４ａと、空間部２４ａを区画している上下面寄りに対向して形成された対の軸部２４ｂと、開口部２４の他方側に位置して、下側を欠肉した嵌合段差２４ｃとが設けられている。
【００２０】
抜止部材２６は、開口部２４に収まって本体２１と共にリテーナ２０を形成する。形状的には、外周部２７及び内周部２８がそれぞれ円弧状をなし、外周部２７と内周部２８との内側を欠如した排水通路と、外周部２７の片側上下に設けられた片部２７ａと、各片部２７ａに設けられた軸孔２７ｂと、外周部２７のうち片部２７ａと反対側の片側に設けられて前記段差２４ｃと嵌合可能な段差２７ｃと、内周部２８に設けられて溝部２３ａと連続可能な溝部２８ａとを有している。
【００２１】
以上の抜止部材２６は、本体２１に対し開口部２４内に配置され、軸部２４ｂを軸孔２７ｂに係合することにより図４の想像線位置から、実線位置まで回動可能に取り付けられる。想像線位置では、昇降具３０の筒部材３１を本体内周部２３の内側へ遊挿可能である。実線位置では、図６（ｃ）のごとく筒部材３１が本体内周部２３及び抜止部材２６の内周部２８で全周を拘束される。この拘束状態では、筒部材３１が径方向及び上下方向への可動が不能となり、突状部３５と溝部２３ａ及び溝部２８ａとの係合により昇降具３０の径方向及び上下方向への規制力が増大される。
【００２２】
（第２形態のリテーナ構造）発明のリテーナは、以上のリテーナ２０に限られず、図７のリテーナ２０Ａように構成しても作用的に同じ。この説明では、上記リテーナ２０と同じ部位に同一符号を付し、極力重複した記載を省く。即ち、このリテーナ２０Ａは、単一の成形型により形成可能にしたり、自身の組立を省略可能にした一例である。構造的には、リテーナ２０Ａが上記本体２１及び抜止部材２６の組み合わせに代えて、リテーナ半体２９，２９同士で構成されている。各半体２９は、前記した本体２１を約１／３だけ欠如した構成であり、各部の形状、例えば、外周部２２及び内筒部２３と、外周部２２の一部に設けられた弾性係止片２５と、内筒部１１の内端面に設けられた溝部２３ａと、アーム２１ａ等は実質的に同じ。そして、各半体２９は、隣接側が薄肉状のヒンジ２９ａを介して連結され、自由端側が互いに係脱するラッチ爪２９ｂ，２９ｃを有している。このため、この半体２９同士は、図７（ａ）の成形状態から、ヒンジ２９ａを介し相対的に回動すると、同（ｂ）の使用状態となると共に、ラッチ爪２９ｂ，２９ｃ同士の係合により該使用状態に保持される。つまり、この使用状態では、リテーナ２０Ａと図４のリテーナ２０とは実質的に同じものとなる。
【００２３】
（槽側への組込手順例）次に、以上の排水栓装置１０を水槽１に組み込む手順の一例を概説する。
（ア）、まず、排水口部材１１とプラグケース１５を水槽１に組み付ける。この作業では、排水口部材１１が排水口３に挿入された状態で、フランジ部１１ａが槽底面内側にシール材Ｓ２を介し排水口３を封止可能に当接され、雄ねじ１１ｂと雌ねじ１５ｂとの螺合によりプラグケース１５の管部１５Ａに連結操作される。
（イ）、なお、上述したワイヤ８の対応端には、前工程で取付具３７を介し昇降具３０が装着されており、昇降具３０がチュープ９より管部１５Ｂ、管部１５Ａから排水口部材１１の上方へ挿入される。また、上方へ挿入された昇降具３０には、栓１２が可動筒３２に対し可動筒側爪部３２ａと栓側連結脚１２ａとの係合を介し固定される。これは、従来のねじ結合の煩雑性及び締め付け力の変動をなくし、ワンタッチ取り付けを実現し、かつ締め付け力の設定を可能にする。この昇降具３０は、この栓１２の装着により、仮に下へ可動しても栓閉状態となるため、それ以上下へ移動されない。
【００２４】
（ウ）、次に、昇降具３０を排水口部材１１内にリテーナ２０又は２０Ａを介して取り付ける。この操作において、リテーナ２０の場合は、例えば、図４（ａ）の想像線のごとく抜止部材２６がヒンジ（軸部２４ｂと軸孔２７ｂ）を介し拡開された状態から、本体２１の開口部２４に昇降具３０の筒部材３１を径方向より挿入し、その後、抜止部材２６をヒンジ（軸部２４ｂと軸孔２７ｂ）を介し開口部２４内に回動操作する。リテーナ２０Ａの場合は、例えば、図７（ａ）の半体２９同士をヒンジ２９ａを支点として円弧状に近づけてから、両半体２９の間に昇降具３０の筒部材３１を径方向より挿入し、その後、両半体２９をヒンジ２９ａを介し円状に回動操作する。これにより、リテーナ２０又は２０Ａは、図６（ｃ）のごとく筒部材３１の全周を拘束する。この拘束状態では、筒部材３１が上記した突状部３５と溝部２３ａ，２８ａとの係合により径方向及び上下方向への可動が不能となる。
（エ）、そして、以上の拘束状態から、昇降具３０は、排水口部材１１内にリテーナ２０又は２０Ａと共に上から下へ挿入されると、各弾性係止片２４が排水口部材側被係合部１１ｃと当たるので、更に強く押圧する。この押圧により、各弾性係止片２４は、被係合部１１ｃを弾性的に乗り越え、かつ、通過と同時に初期形状に復元して被係合部１１ｃに係合固定される。この組立完了状態が図１に示す状態であり、これにより水槽１の排水口３に対する排水栓装置１０の組み込みが完了する。この状態では、リテーナ２０又は２０Ａが排水口部材１１の内面に拘束されるため、前記した昇降具３０に対する固定力も確実に保たれ、該固定力が経年変化に影響されることなく長期に維持される。また、以上のリテーナ２０又は２０Ａは、例えば、昇降具３０やワイヤやチューブ系を修理する際、従来品より昇降具３０に対する着脱が容易なため使い勝手に優れている。
【００２５】
なお、以上の形態は本発明を制約するものではない。本発明は、請求項１と２の要件を満たす範囲で種々変形可能なものである。一例を挙げると、第１形態のリテーナ２０としては第２形態のヒンジ２９ａ構成と同様に、抜止部材２６を本体２１に薄肉ヒンジを介し一体に形成すること、第２形態のリテーナ２０Ａとしては第１形態のヒンジ（軸部２４ｂと軸孔２７ｂ）構成、又は、専用ヒンジにより半体２９同士を連結してもよい。また、以上の排水口部材を排水口金具等として表現したり、昇降具をシフト機構や昇降ユニット等と表現しても差し支えない。
【００２６】
【発明の効果】
以上説明したとおり、本発明に係る排水栓装置は、遠隔操作式において、リテーナ及び昇降具の形状的な工夫により、課題に挙げた問題を一掃して、昇降具に加わる外力等に起因した昇降具の不用意な抜けを確実に阻止でき、ワンタッチ作業をより実現したり固定力を増大したりメンテナンス性に優れ、しかも長期間に亘って安定した固定力を維持できる等の利点を具備できる。
【図面の簡単な説明】
【図１】本発明排水栓装置を使用状態で示す説明図である。
【図２】図１の排水栓装置の部材関係を示す構成図である。
【図３】図１の排水栓装置の要部を示す図である。
【図４】図１の排水栓装置を構成しているリテーナの構成図である。
【図５】図４のリテーナの概略外観斜視図である。
【図６】上記リテーナの断面及び要部作動を示す図である。
【図７】上記リテーナの変形例を示す図である。
【図８】本発明装置の適用例を模式的に示す配置図である。
【図９】排水栓装置の従来構成例を示す参考図である。
【図１０】排水栓装置の他の従来構成例を示す参考図である。
【符号の説明】
１…水槽（２は槽底面、３は排水口、４は槽上面）
５…排水機構体（１５はプラグケース）
６…操作機構体（１４は操作釦）
７…連結管（８はワイヤ、９はチューブ）
１０…排水栓装置
１１…排水口部材（１１ｃは被係合部）
１２…栓（１２ａは連結脚）
２０，２０Ａ…リテーナ
２１…本体（２４ｂはヒンジ用軸部、２８は内筒部）
２３ａ，２８ａ…溝部
２５…弾性係止片
２６…抜止部材（２７ｂはヒンジ用軸孔）
２９…リテーナ半体（２９ａはヒンジ）
３０…昇降具（リフト機構）
３１…筒部材（３５は突状部）
【図１】
2004300841.tif 000003
【図２】
2004300841.tif 000004
【図３】
2004300841.tif 000005
【図４】
2004300841.tif 000006
【図５】
2004300841.tif 000007
【図６】
2004300841.tif 000008
【図７】
2004300841.tif 000009
【図８】
2004300841.tif 000010
【図９】
2004300841.tif 000011
【図１０】
2004300841.tif 000012